(57)【特許請求の範囲】
【請求項１】
電動工具のバッテリパックを工具本体から取り外して充電するための充電器であって、正面に前記バッテリパックを接続するためのバッテリ接続部を有し、背面に壁掛け用の壁掛け部を有し、該壁掛け部を介して壁に掛けた状態では、前記バッテリ接続部に対する前記バッテリパックの装着、取り外し方向が前記壁に沿った方向でかつ横方向となる充電器。
【請求項２】
請求項１記載の充電器であって、前記壁掛け部は、前記壁に設けたフックを係合させるためのフック孔を有し、該フック孔は、前記フックを前記壁の面直方向に進退可能な挿入孔部と、該挿入孔部の上部から上方であって、前記接続コネクタ部に対するバッテリパックの装着、取り外し方向に対して直交する方向に延びて、前記フックが前記壁の面直方向に離脱不能に係合される引き掛け孔部を備えた充電器。
【請求項３】
請求項２記載の充電器であって、前記壁掛け部は、前記挿入孔部の上部から上方に延びる引き掛け孔部に加えて、該挿入孔部の下部から下方へ延びる引き掛け孔部を上下対称に設けた充電器。
【請求項４】
請求項２又は３記載の充電器であって、前記壁掛け部は背面とは別体で用意されて取り付けられた充電器。
【発明の詳細な説明】
【技術分野】
【０００１】
この発明は、例えば手持ち式の電動工具の電源として用いられるバッテリパックを工具本体から取り外して充電するための充電器に関する。
【背景技術】
【０００２】
電動工具の電源として用いられる充電式のバッテリパックは、例えば円柱形のバッテリセルを複数本内蔵したもので、電動工具の例えばハンドル部の先端に着脱可能に装着される。このバッテリパックには、種々形態のものが提供されており、ハンドル部の先端に対して抜き差しして脱着する形態のもの、あるいはハンドル部の先端に対してスライドさせて脱着する形態のものが提供されている。後者のスライド脱着式のバッテリパックの場合は、通常矩形の箱体形状を有しており、その両側部に設けたスライドレールを介して例えばハンドル部の先端に対してスライドさせることにより装着し、逆に取り外すことができる。
このスライド脱着式のバッテリパックを電動工具本体から取り外して充電するための充電器は、片手で持ち運びできる程度の大きさの箱体形状を有するもので、例えばその上面にバッテリパックを装着するためのバッテリ装着部を備えている。このバッテリ装着部は、工具本体のハンドル部に対する装着方法と同じくバッテリパックをスライドさせて装着し、取り外すことができる。バッテリ装着部に対してバッテリパックをスライドさせて装着すると、その接続端子部が充電器側の接続端子部に接続されて充電することができる。
従来、この種の充電器について下記の特許文献に記載されているように様々な改良がなされている。例えば、充電器を作業台上に置いて用いることができる他、作業台に十分な設置スペースがない場合に壁掛け状態でバッテリパックの充電を行うことができるようにしたものが提供されている。
この壁掛け型の充電器の場合、その背面（壁に対する設置面であってバッテリ装着部が設けられた正面とは反対側の面）には、壁掛け用のフック孔が設けられており、このフック孔に壁側のフックを引き掛けておくことで、当該充電器を壁に掛けておくことができるようになっている。
【特許文献１】実公昭４５−１５４１１号公報
【特許文献２】実公平７−４７６１２号公報
【特許文献３】特開２００４−１４７３６０号公報
【発明の開示】
【発明が解決しようとする課題】
【０００３】
しかしながら、従来の壁掛け型の充電器では、バッテリ装着部の接続端子部及び制御信号用のコネクタ部（以下、単に接続コネクタ部とも言う）が上向きに開放された状態で壁に掛けられる構成であったため、当該接続コネクタ部に粉塵等が溜まりやすい問題があった。
本発明は、壁掛け可能な充電器であって、その接続コネクタ部に粉塵等が溜まりにくいようにすることを目的とする。
【課題を解決するための手段】
【０００４】
このため、本発明は、特許請求の範囲の各請求項に記載した構成の充電器とした。
請求項１記載の充電器によれば、その壁掛け状態においてバッテリパックを装着、取り外しする際の当該バッテリパックの移動方向が壁に沿った方向でかつ横方向となっている。このため、バッテリ装着部に対するバッテリパックの装着、取り外し方向が横向きとなって接続端子部や接続コネクタ部が横向きに開放されており、従来のように上方に向けて開放されていないことからその防塵性（粉塵等が侵入しにくい性質）を高めることができる。
請求項２記載の充電器によれば、当該充電器を壁に掛けた状態でその接続コネクタ部に対してバッテリパックを横方向に移動させることにより、当該バッテリパックを装着し、逆に取り外すことができる。バッテリパックを装着し、取り外すために横方向へ移動させる際に、その移動方向が、背面のフック孔が延びる方向（上下方向）に対して直交していることから、壁側のフックの当該フック孔に対する引き掛け状態が維持され、従って、当該充電器の壁掛け状態を保持しつつバッテリパックを確実に装着し、及び取り外すことができ、ひいては当該充電器の取り扱い性及び操作性を高めることができる。
請求項３記載の充電器によれば、壁掛け部の挿通孔部に対して上下両方向に引き掛け孔部が設けられていることから、当該充電器を上下反転させていずれの向きでも壁に掛けておくことができる。このため、当該充電器を上下反転させて壁に掛けておくことにより、左側及び右側のいずれの側からもバッテリパックを横方向に移動させて装着し、及び取り外すことができ、従って左利きの使用者と右利きの使用者の双方についてその良好な操作性を確保することができる。
また、上下反転させて壁に掛けておくことによりバッテリパックの移動方向を左右任意に選択することができるので、例えばバッテリ装着部に対して左側又は右側の一方にバッテリパックを横方向へ移動させるための十分なスペースがない場合等に、他方のスペースを利用してバッテリパックを充電器に装着し、取り外すことができ、これにより当該充電器の壁掛け位置の選択の自由度を高めることができる。
請求項４記載の充電器によれば、バッテリ装着部の防塵性に加えて当該充電器内部の防水性をも高めることができる。例えば、当該充電器の本体ケースが合成樹脂の成形品であり、その背面側に壁掛け用のフック孔が一体で設ける場合、成形型の抜き方向等の関係から多くの場合このフック孔が本体ケースに貫通孔として形成される場合がある。この場合には、別途シール材を用いてこの貫通孔を塞がないと、背面側のフック孔を経て本体ケース内に粉塵や異物が侵入しやすく、また本体ケース内に雨水等が浸水し易い問題があった。この点、請求項４記載の充電器によれば、フック孔を設けた壁掛け部が本体ケースとは別体で製作されてネジ止め等の固定手段によりその背面側に取り付けられることから、本体ケースの型成形にあたって上記のような貫通孔としてフック孔を設ける必要がなく、従って上記シール材等を別途用いることなく本体ケース内部の防水性を確保することができる。
【発明を実施するための最良の形態】
【０００５】
次に、本発明の実施形態を図１〜図７に基づいて説明する。図１は、本実施形態に係る充電器１０の全体を示している。この充電器１０によって充電されるバッテリパック１は、例えば手持ち式の電動工具のハンドル部の先端（バッテリ装着部位）に装着されてその電源として用いられる。本実施形態は充電器１０の壁掛け構造に特徴を有するもので、これにより充電されるバッテリパック１及び電動工具については特に変更を要しない。
図２に示すようにバッテリパック１は、その背面に一対のスライドレール部２，３を備えている。両スライドレール部２，３は、当該バッテリパック１の背面上部及び下部に沿って相互に平行に設けられている。電動工具のバッテリ装着部位に対してこのスライドレール部２，３を介してバッテリパック１をスライドさせることにより、当該バッテリパック１が装着され、逆に取り外される。また、バッテリパック１の背面には、メス形の接続端子４，５とオス形の接続コネクタ６が設けられている。両接続端子４，５は、装着方向前方（図２において右方）及び背面後方（図２において手前側）に開口したスリット内に収容されている。接続端子４がマイナス端子で、接続端子５がプラス端子となっている。接続コネクタ６は、両接続端子４，５間において装着方向前方へ突き出す状態に設けられている。
このバッテリパック１を電動工具のバッテリ装着部位に対してスライドさせて装着すると、両接続端子４，５が収容されたスリット内にそれぞれ電動工具側のオス形端子が進入して導通状態となり、また接続コネクタ部６が電動工具側のメス形コネクタに差し込まれて制御信号経路が接続される。
【０００６】
図１は、本実施形態の充電器を壁Ｗに掛けた状態を示している。以下、この壁掛け状態の充電器１０の正面に向き合う使用者を基準としてその上下左右の各方向を用いる。
本実施形態の充電器１０は、概ね矩形の箱体をなす本体ケース１１を備えている。この本体ケース１１は、ケース本体部１２の背面側開口部を底板部１３で塞いだ構成を備えている。ケース本体部１２と底板部１３は、それぞれ合成樹脂の成形により製作されたもので、接合部Ｊで相互に突き合わされて一体に結合されている。ケース本体部１２内若しくは底板部１３上に充電回路を含む制御基板等が収容されている。
図１に示すようにケース本体部１２の正面にバッテリ装着部２０が設けられている。このバッテリ装着部２０は、バッテリパック１を充電するために装着する部位で、バッテリパック１はこのバッテリ装着部２０に対して横方向（左右方向）にスライドさせることにより装着され、逆に取り外される。このバッテリ装着部２０の上下には、案内レール部２１，２２が相互に平行に設けられている。両案内レール部２１，２２は、左右方向（横方向）であってバッテリパック１の装着、取り外し方向に長く形成されている。両案内レール部２１，２２に、スライドレール部２，３を係合させる状態でバッテリパック１左側にスライドさせることにより、当該バッテリパック１がバッテリ装着部２０に取り付けられる。逆に、バッテリパック１を右側にスライドさせることにより、バッテリ装着部２０から取り外すことができる。
バッテリ装着部２０は、スライドカバー２４により覆われるようになっている。このスライドカバー２４は、右側の閉じ位置側にばね付勢されている。このスライドカバーがばね付勢力に抗して左側に押されると、オス形の接続端子２５，２６とメス形の接続コネクタ２７が露出される。図１において上側の接続端子２５がマイナス端子であり、下側の接続端子２６がプラス端子となっており、これはバッテリパック１側の接続端子４，５に対応して配置されている。バッテリ装着部２０にバッテリパック１が装着されると、プラス端子の接続端子４に接続端子２５が接続され、マイナス端子の接続端子５に接続端子２６が接続される。
また、接続コネクタ２７は、図１において右方へ開口した箱体形を有している。この接続コネクタ２７内にバッテリパック１側のオス形コネクタ６が差し込まれて接続される。  スライドカバー２４は、バッテリパック１の装着動作に伴い当該バッテリパック１に押されて開かれる。バッテリパック１をバッテリ装着部２０から取り外すと、このスライドカバー２４はばね付勢力によって閉じられる。
【０００７】
このように、本実施形態の充電器は、バッテリパック１の装着、取り外し方向が左右方向（横方向）となる向きで壁Ｗに掛けられる点に特徴を有している。図２及び図３に示すように充電器１０の背面側であって、底板部１３の外面（壁Ｗに対向する面）には、壁Ｗに当接される脚部１４〜１４と壁Ｗ側のフック４０，４０が引き掛けられる壁掛け部３０，３０が設けられている。図２に示すように脚部１４〜１４は、底板部１３の外面四隅に設けられている。
壁掛け部３０，３０は、底板部１３の左右方向中央であって上下２箇所に設けられている。壁掛け部３０の詳細が図４及び図５に示されている。両壁掛け部３０，３０は、底板部１３とはそれぞれ別体で製作された係合板３１を主体としている。両係合板３１，３１は、上下に長い矩形の平板をなすもので、その中央にフック孔３２が設けられている。両フック孔３２，３２は、それぞれ中央のほぼ円形の挿入孔部３２ａと、この挿入孔部３２ａの上部から上方へ延びる溝孔形状の引き掛け孔部３２ｂと、下部から下方へ延びる同じく溝孔形状の引き掛け孔部３２ｃを備えた鍵孔形状を有している。上下の引き掛け孔部３２ｂ，３２ｃは同じ長さ及び幅で上下対称に形成されている。
両係合板３１，３１は、それぞれ底板部１３に設けた矩形の凹部１３ａ内に面一に嵌め込まれている。凹部１３ａの底部一端側にはねじ孔１３ｃが設けられ、他端側には係合ボス部１３ｂが設けられている。凹部１３ａ内に嵌め込まれた係合板３１は、その一端側がねじ孔１３ｃに締め付けられた固定ねじ３３で固定され、他端側が上記係合ボス部１３ｂを係合孔３２ｄ内に嵌め込むことにより位置決め固定された状態で当該底板部１３に取り付けられている。このように固定された係合板３１と凹部１３ａの底部との間には、壁Ｗ側のフック４０が進入するための隙間１３ｄが設けられている。
【０００８】
この上下二箇所の壁掛け部３０，３０に対応して、壁Ｗ側には上下２本のフック４０，４０が設けられている。両フック４０，４０は、それぞれフランジ部４０ａと軸部４０ｂを備えている。フランジ部４０ａは、フック孔３２の挿入孔部３２ａを通過可能で、引き掛け孔部３２ｂ，３２ｃを通過できない径を有している。軸部４０ｂは、引き掛け孔部３２ｃ内に挿入可能な径を有している。上下二箇所の壁掛け部３０，３０について、それぞれフック４０のフランジ部４０ａを挿入孔部３２ａを経て隙間１３ｄ内に進入させ、しかる後に充電器１０を下方へ変位させて、両フック４０，４０の軸部４０ｂ，４０ｂをそれぞれ上側の引き掛け孔３２ｂ，３２ｂ内に相対的に進入させてその上端部に突き当てた状態とすることにより、当該充電器１０を壁Ｗに掛けておくことができる。
こうして壁Ｗに掛けた充電器１０は、上下に一定の間隔をおいて配置された２本のフック４０，４０の軸部４０ｂ，４０ｂがそれぞれ引き掛け孔３２ｂ内に進入し、かつフランジ部４０ａ，４０ａがそれぞれ隙間１３ｄ内に位置していることから、壁Ｗに沿った方向に位置ずれすることなく、かつ壁Ｗから離間する方向に位置ずれしない状態で掛けておくことができる。この壁掛け状態では、脚部１４〜１４が壁Ｗに当接されていることにより、当該充電器１０の壁掛け状態が安定化される。
上下の係合板３１，３１は、それぞれ固定ビス３３を緩めてねじ孔１３ｃから外し、さらに係合孔３２ｄ内からボス部１３ｂを抜き出すことにより、凹部１３ａ内から取り外すことができる。このようにフック孔３２を有する係合板３１が底板部１３とは別体に製作されていることから、凹部１３ａは当該本体ケース１１の内部に貫通する孔を設けることなく成形されている。この点でも、本実施形態の充電器１０の本体ケース１１における壁掛け部３０，３０について従来構成とは異なっている。
【０００９】
また、本実施形態の充電器１０は、壁Ｗに掛けておくのではなく、図７に示すように例えば作業台上に設置しておくことができる。この場合には、脚部１４〜１４が本来の脚部として機能する。
本実施形態の充電器１０は、作業台等に水平設置した場合には、本体ケース１１の上面（正面）であってバッテリ装着部２０が図７において手前側へ下る方向に傾斜するようにケース本体部１２が製作されている。このため、バッテリ装着部２０にバッテリパック１０を装着する場合には、小さなスライド操作力でバッテリパック１０をスライドさせることができ、これによりバッテリパック装着時の便宜が図られている。
また、バッテリ装着部２０の装着時のスライド方向が装着方向に下る方向に傾斜していることから、使用者のスライド操作力の一部が充電器１０自体を作業台に押し付ける方向に作用する。これによれば、当該充電器１０の位置ずれを防止しつつ片手でバッテリパック１をバッテリ装着部２０に装着することができるので、使用者は他方の手で充電器１０を押さえている必要がなくなり、この点でも当該充電器１０の取り扱い性が高められている。
さらに、バッテリ装着部２０の装着時のスライド方向が装着方向に下る方向に傾斜していることから、当該充電器１０を壁Ｗに掛けた状態においても、バッテリパック１を装着する際のスライド操作力が当該充電器１０を壁Ｗに押し付ける方向に作用する。この点でも、使用者は壁Ｗに掛けた充電器１０のがたつき若しくは位置ずれを生ずることなく、片手でバッテリパック１を簡単に装着することができる。
【００１０】
以上のように構成した本実施形態の充電器１０によれば、背面側に設けた壁掛け部３０，３０を介して壁Ｗに引き掛けた状態（壁掛け状態）とすると、正面のバッテリ装着部２０に対するバッテリパック１の装着、取り外し方向が横方向となる。すなわち、本実施形態の充電器１０は、そのバッテリ装着部２０に対するバッテリパック１の装着、取り外し方向を横方向とする向きで、壁Ｗに掛けておくことができる。
このため、バッテリ装着部２０を覆うスライドカバー２４が横向きに開口した状態となり、これにより当該スライドカバー２４内への粉塵等の進入を大幅に抑制することができる。スライドカバー２４内への粉塵等の進入を大幅に抑制することができるので、接続端子２５，２６及び接続コネクタ２７に対する埃や異物の付着を抑制することができ、ひいては当該充電器１０の動作不良を未然に防ぎ、またその長寿命化を図ることができる。
また、バッテリ装着部２０に対するバッテリパック１０の装着、取り外し方向が横方向となる結果、接続コネクタ２７の開口部が横向きとなるため、この点でも当該接続コネクタ２７内への埃や異物の侵入及び付着をより一層確実に抑制することができる。
さらに、バッテリ装着部２０に対するバッテリパック１の装着、取り外し方向が、重力方向に対して直交若しくはほぼ直交する横方向であり、当該充電器１０は壁Ｗ側のフック４０，４０の軸部４０ｂ，４０ｂがそれぞれフック孔３２の上側の引き掛け溝部３２ｂ内に進入した状態に掛けられていることにより横方向（左右方向）にがたつきのない強固な状態に掛けられていることから、バッテリパック１のバッテリ装着部２０に対する装着、取り外し操作を片手で迅速に行うことができ、この点で当該充電器１０の使い勝手（操作性）を高めることができる。
【００１１】
また、本実施形態の充電器１０によれば、上下のフック孔３２，３２についてそれぞれ挿入孔部３２ａの上下両側から引き掛け孔３２ｂ，３２ｃが上下対称に設けられている。このため、充電器１０は、上下反転して壁Ｗに掛けておくことができる。図６は、図１及び図２に示す壁掛け姿勢とは上下反転させた向きで壁Ｗに掛けた状態を示している。図６に示す壁掛け姿勢ではバッテリ装着部２０が下側に位置している。また、スライドカバー２４の開き方向が図１に示す状態とは反対向きになっている。このため、バッテリ装着部２０に対するバッテリパック１の装着方向も図１に示す状態とは反対になる。図６に示す向きでは、バッテリパック１を右側に移動させることによってバッテリ装着部２０に装着することができる。
このように、上下反転して壁Ｗに掛けてバッテリパック１の装着、取り外し方向を右側若しくは左側から任意に選択することができるので、使用者の利き腕に関係なく常時その良好な操作性を確保することができる。
また、上下反転した壁掛け姿勢であっても、バッテリパック１の装着、取り外し方向が横方向であるので、両フック４０，４０の壁掛け部３０，３０に対する引き掛け状態（壁掛け状態）を維持しつつ片手でバッテリパック１を装着、取り外しできるとともに、スライドカバー２４の開閉方向が横方向となって上方へ開放された状態とはならないので接続端子２５，２６及び接続コネクタ２７に対する埃や異物の付着が抑制される。
【００１２】
さらに、本実施形態の充電器１０によれば、壁掛け部３０，３０として本体ケース１１の底板部３１に直接フック孔を一体に設けるのではなく、それぞれフック孔３２を有する係合板３１，３１を本体ケース１１の底板部１３とは別体で製作して固定ビス３３により取り付けた構成とされていることから、当該底板部１３の型成形時において型抜き方向の関係で当該底板部１３に貫通孔を設定する必要がない。このため、本実施形態の充電器１０によれば、本体ケース１１の防水性を高め、また粉塵等の異物の侵入を未然に防止して内部に取り付けた基板等の保護が長期間にわたってなされるようになっている。
また、本実施形態の充電器１０は上下反転して壁Ｗに掛けておくことができるので、バッテリ装着部２０に対するバッテリパック１の装着、取り外し方向を右方又は左方から任意に選択することができるので、壁Ｗに掛けた状態で一方に装着、取り出しのための十分なスペースがない場合には、上下反転して壁Ｗに掛けておくことにより他方のスペースを利用してバッテリパック１を楽に装着、取り外しすることができる。
さらに、バッテリ装着部２０に対するバッテリパック１の装着時のスライド方向が装着方向に下る方向に傾斜していることから、スライド操作力の一部が当該充電器１０を壁Ｗ若しくは作業台等に押し付ける方向に作用し、これによりバッテリパック装着時における当該充電器１０の位置ずれ若しくはがたつきを防止しつつ、バッテリパック１を片手で楽に装着することができる。
【００１３】
次に、本体ケース１１の底面に別部品として係合板３１，３１を取り付け、この係合板３１，３１にそれぞれフック孔３２を設ける構成とすることにより、底板部１３を型成形により製作する段階において壁掛け用のフック孔を同時に形成しておく必要がなくなる。一般に、樹脂の一体成形によりケース体を製作する場合であって、その奥部にフックを引き掛けておくための隙間を確保しつつ、この種のフック孔をケース体の底面に一体に設ける場合には、成形型の抜き方向によっては当該ケース体を貫通する孔を設定しておく必要がある場合がある。係る貫通孔を設定した場合には、別途シール材でこの貫通孔を塞ぐ等しないとケース体の外部から雨水等が侵入し、あるいは埃や粉塵等が侵入し易くなり、その結果ケース体の内部に組み込んだ基板等の各種部材が損傷を受けるおそれがある。
この点、本実施形態に係る充電器１０の壁掛け部３０，３０によれば、底板部１３に従来のような型抜き用の貫通孔を設ける必要のない矩形の凹部１３ａを一体に成形する一方、フック孔を有する係合板３１を別部材として製作し、これを凹部１３ａの開口部を塞ぐ蓋として取り付けることにより、隙間１３ｄを確保しつつフック孔３２を底板部１３に設けることができる。この構成によれば、凹部１３ａを経て本体ケース１１の内部に雨水や粉塵等が侵入することがないので、内部の基板等の損傷を未然に防止することができ、ひいては当該充電器１０の耐久性を高めて製品寿命を長くすることができる。
上記の構成は、次のように特定することができる。ケース体の壁掛け構造であって、その底部に凹部を設け、該凹部の開口部を別部材として用意した平板形の係合板で塞ぎ、この係合板にフック孔を設けて、該フック孔を経てフックを引き掛けることにより、当該ケース体を壁掛け可能な構成とした壁掛け用ケース体のフック孔構造。
係る構成は、前記例示した電動工具の充電器１０に限らず、掛け時計等のその他の壁掛け機器であって主として樹脂の一体成形により製作されるケース体について広く適用することができる。
【００１４】
以上説明した実施形態には種々変更を加えることができる。例えば、上下２箇所の壁掛け部３０，３０を例示したが、上側の１箇所としてもよい。壁掛け部３０を１箇所とした場合であっても、バッテリパック１の装着、取り外し方向が横方向であるので、接続端子部２５，２６及び接続コネクタ部２７の防塵性能を確保することができ、また充電器１０の位置ずれを防止しつつ片手でバッテリパック１を簡単に装着することができる。
さらに、フック孔３２について、挿通孔部３２ａから上下両側に引き掛け孔部３２ｂ，３２ｃを設ける構成として上下反転して壁掛け可能な構成を例示したが、一方の引き掛け溝部を省略してもよい。
また、先端にフランジ部４０ａを有するフック４０を例示したが、上側へＬ字形に屈曲したフックを用いることにより、フック孔３２の挿通孔部３２ａを省略して、単に上下に長い引き掛け孔部のみでフック孔を構成してもよい。
また、例示した実施形態では、バッテリ装着２０について、バッテリパック１の装着方向に下る方向に傾斜した構成を例示したが、係る傾斜構造を省略してバッテリパック１の装着方向が底面部１３と平行である構成としてもよい。
さらに、充電器１０側にフック孔３２，３２を設ける一方、壁Ｗ側にフック４０，４０を設ける構成を例示したが、これとは逆に充電器１０側にフックを設け、壁Ｗ側にフック孔を設けて充電器を壁掛け可能な構成としてもよい。
【図面の簡単な説明】
【００１５】
【図１】本発明の実施形態を示す図であり、壁掛け状態の充電器及びこれにより充電するバッテリパックの斜視図である。本図は、充電器及びバッテリパックを使用者から見て左斜め正面から見た状態を示している。また、本図では、バッテリパックをバッテリ装着部から取り外した状態が示されている。
【図２】壁掛け状態の充電器及びバッテリパックを背面側（図１の矢印(2)方向）から見た斜視図である。
【図３】本実施形態に係る充電器の背面図（底面図）である。
【図４】壁掛け部の斜視図である。
【図５】図４の(5)-(5)線断面矢視図であって、壁掛け部の縦断面図である。
【図６】上下反転して壁に掛けた充電器の斜視図である。本図と図１を比較すると、バッテリパックの位置が左右反対側であり、充電器のバッテリ装着の位置が上下反対かつその装着、取り外し方向が左右反対になっている。
【図７】本実施形態に係る充電器を壁掛けではなく、例えば作業台上に水平に設置した状態を示す斜視図である。
【符号の説明】
【００１６】
Ｗ…壁
１…バッテリパック
２，３…スライドレール部
１０…充電器
１１…本体ケース
１２…ケース本体部
１３…底板部
１３ａ…凹部、１３ｂ…係合ボス部、１３ｃ…ねじ孔、１３ｄ…隙間
１４…脚部
２０…バッテリ装着部
２１，２２…案内レール部
２４…スライドカバー
２５，２６…接続端子
２７…接続コネクタ
３０…壁掛け部
３１…係合板
３２…フック孔
３２ａ…挿入孔部、３２ｂ，３２ｃ…引き掛け孔部、３２ｄ…係合孔
３３…固定ねじ
４０…フック、４０ａ…フランジ部、４０ｂ…軸部
【図１】
0005090256.tif 000002
【図２】
0005090256.tif 000003
【図３】
0005090256.tif 000004
【図４】
0005090256.tif 000005
【図５】
0005090256.tif 000006
【図６】
0005090256.tif 000007
【図７】
0005090256.tif 000008